(57)【特許請求の範囲】
【請求項１】
顔面を覆うマスクに照射部と酸素供給部とを備え、顔面の皮膚に向けて光照射及び酸素供給をする美容機器であって、照射部は複数設けてあり且つ隣合う照射部が間隔をあけて配置してあり、各照射部は所定波長の光を照射する発光ダイオードを有し、酸素供給部は照射部間に形成された酸素供給口から酸素を供給することを特徴とする美容機器。
【請求項２】
照射部は、互いに波長が異なる複数の発光ダイオードから成ることを特徴とする請求項１に記載の美容機器。
【請求項３】
照射部は、青色光を発する青色発光ダイオード、黄色光を発する黄色発光ダイオード、赤色光を発する赤色発光ダイオード及び近赤外光を発する近赤外発光ダイオードとを備え、黄色発光ダイオード、赤色発光ダイオード及び近赤外発光ダイオードは、青色発光ダイオードの周囲を囲うように配置されていることを特徴とする請求項２に記載の美容機器。
【発明の詳細な説明】
【技術分野】
【０００１】
本発明は、所定波長の光を肌に照射する美容機器に係わり、特に顔面等の染み取りに効果がある美容機器に関する。
【背景技術】
【０００２】
美顔等に効果がある美容機器は、従来から様々なタイプのものが知られている。例えば、特許文献１には、レーザ光を皮膚に照射して美肌効果を得ることが開示されている。
【０００３】
【特許文献１】特開２０００−２１７９３８号公報
【発明の開示】
【発明が解決しようとする課題】
【０００４】
しかしながら、特許文献１の技術ではレーザ光を照射するものに限られており、美肌効果に一定の限界があると共に、より美肌効果に優れた美容機器が望まれている。
【０００５】
本発明は前記事情に着目してなされたものであり、その目的とするところは、更に美肌効果に優れる美容機器を提供することにある。
【課題を解決するための手段】
【０００６】
前記課題を解決するために、請求項１に記載された発明は、顔面を覆うマスクに照射部と酸素供給部とを備え、顔面の皮膚に向けて光照射及び酸素供給をする美容機器であって、照射部は複数設けてあり且つ隣合う照射部が間隔をあけて配置してあり、各照射部は所定波長の光を照射する発光ダイオードを有し、酸素供給部は照射部間に形成された酸素供給口から酸素を供給することを特徴とする。
【０００７】
【０００８】
【０００９】
請求項２に記載された発明は、請求項１に記載された発明において、照射部は、互いに波長が異なる複数の発光ダイオードから成ることを特徴とする。
【００１０】
請求項３に記載された発明は、請求項２に記載された発明において、照射部は、青色光を発する青色発光ダイオード、黄色光を発する黄色発光ダイオード、赤色光を発する赤色発光ダイオード及び近赤外光を発する近赤外発光ダイオードとを備え、黄色発光ダイオード、赤色発光ダイオード及び近赤外発光ダイオードは、青色発光ダイオードの周囲を囲うように配置されていることを特徴とする。
【００１１】
【発明の効果】
【００１２】
請求項１に記載された発明によれば、照射部に加えて酸素供給部を設けているので、照射部からの光と酸素供給部からの酸素との相乗効果により、照射部のみの美容機器に比べて、充分な美肌効果を発揮することができる。すなわち、酸素供給部により皮膚に酸素を供給することにより、皮膚が活性化して化粧品の粉等の細かい粒子が肌に導入し易くなると共に、皮膚の酸素濃度が上がって、皮膚をマイナスイオン状態にすることができ、美肌効果に優れる。
【００１３】
顔面を覆うマスクに光照射部及び酸素供給部を設けることにより、酸素供給部からの酸素を吸い込んで体内に取り込むことができるので、細胞の細部まで酸素を行き渡らせて、体の内部から新陳代謝を高めることができ、より一層の美肌効果を発揮することができる。
【００１４】
照射部の間に酸素供給口を形成したので、皮膚面における光の照射部分に酸素を効率的に供給することができる。
【００１５】
請求項２に記載された発明によれば、請求項１に記載された発明と同様な作用効果を奏すると共に、２波長以上の光照射により、繊維芽細胞が刺激され、小皺や染み等を充分に減らすことが可能になって、優れた美肌効果を発揮することができる。
【００１６】
請求項３に記載された発明によれば、請求項２に記載の発明と同様の作用効果を奏すると共に、浸透性が良好な黄色光、赤色光及び近赤外光に、青色光を加えた４波長の光によって神経ブロックが刺激されて、染みや小ジワ等を効果的に減らすことができる。また、複数種の光をムラ無く充分に干渉させて照射することができるため、にきび肌改善、保湿効果、赤ら顔改善、毛穴縮小等、より優れた美容効果を得ることができる。また、紫外線を発しないため、使用に際して一定の熟練を必要とせず（専門性を伴わず）、家庭で安全に使用することができる。
【００１７】
【発明を実施するための最良の形態】
【００１８】
以下、図面を参照しつつ本発明の実施形態について説明する。図１は、本実施の形態に係る美容機器の外観を示す斜視図であり、図２は、美容機器のマスクを示す断面図であり、図３は、マスクの顔側の面の一部を示す図であり、図４は、光照射部におけるＬＥＤの波長分布図であり、図５は、図１の美容機器の構成を示すブロック図である。
【００１９】
図１及び図２に示すように、本実施形態の美容機器１は、人の顔Ａの美容のために用いられるものであり、顔（皮膚面）Ａを被覆するマスク３と、このチューブ４を介してマスク３に酸素を供給する酸素供給装置５と、操作部７とを備えている。
【００２０】
図２に示すように、マスク３の顔Ａ側の面３ａには、顔Ａに向けて複数の所定波長の光（図２の波線矢印参照）を照射する照射部９が複数設けられている。この照射部９は、図３に示すように、マスク３の顔Ａの面３ａにおいて、縦横の複数の列になるように互いに所定の間隔をおいて配置されている。
【００２１】
照射部９は、互いに波長が異なると共に、縦に３列、横に３列に配置された複数のＬＥＤ（発光ダイオード）を備えている。具体的には、図３及び図４に示すように、２００ｍＷの出力で波長が４６０ｎｍの青色光を発生する青色ＬＥＤ１１（図３においては黒の丸、図４においては黒の三角で示す。）と、１２４ｍＷの出力で波長が５７５ｎｍの黄色光を発生する黄色ＬＥＤ１３（図３においては白抜きの丸、図４においては白抜きの三角で示す。）と、２７４ｍＷの出力で波長が６４４ｎｍの赤色光を発生する赤色ＬＥＤ１５（図３においては二重丸、図４においては二重の三角で示す。）と、６３５ｍＷ波長が８７０ｎｍの近赤外光を発生する近赤外ＬＥＤ１７（図３においては三重丸、図４においては三重の三角で示す。）とを備えている。そして、黄色ＬＥＤ１３、赤色ＬＥＤ１５及び近赤外ＬＥＤ１７は、青色ＬＥＤ１１の周囲を囲うと共に、互いに隣り合うＬＥＤ同士が異なるように配置されている。
【００２２】
このように、隣り合うＬＥＤの光の波長が互いに異なるようにすることで、図４に示すような複数種の光をムラ無く充分に干渉させて照射することができ、優れた美容効果を得ることができる。尚、図３においては、青色ＬＥＤ１１の周囲を囲む黄色ＬＥＤ１３、赤色ＬＥＤ１５の配置関係は、図３の態様に限定されず、適宜変更可能であるが、複数種の光をムラ無く充分に干渉させて照射するためには、互いに隣りあうＬＥＤが波長の異なるＬＥＤにするのが望ましい。
【００２３】
また、本実施の形態に用いられる各ＬＥＤ１１、１３、１５、１７は、輝度を上げるために拡散用のレンズを介して光を照射する通常のＬＥＤ（この場合、光のエネルギーは４０％ほど低下する）とは異なり、この通常のＬＥＤからレンズを外して、ＬＥＤ１１、１３、１５、１７からの光を顔Ａに直接照射する構成にして、できるだけ多くの光エネルギーを顔Ａに照射するようにしている。また、各ＬＥＤ１１、１３、１５、１７は、例えば１〜２０Ｈｚの周波数のパルス信号により、同時に若しくは個別に（ランダムに或いは所定のタイミングで）点滅発光するようになっている。
【００２４】
ここで、図５に示すように、酸素供給装置５は、酸素を発生させる酸素発生部５ａと、酸素発生部５ａにより発生した酸素をチューブ４に向けて噴出する（送り出す）噴出部５ｂとを備えている。この噴出部５ｂによって噴出された酸素は、チューブ４を介してマスク３の内部に送り込まれるようになっている。
【００２５】
すなわち、図２に示すように、マスク３の内部には、チューブ４に連通した酸素供給通路１９が形成されている。この酸素供給通路１９は、酸素供給装置５からの酸素をチューブ４を介して導入する導入通路２１と、この導入通路２１から複数に分岐した分岐通路２３とを備えている。これらの各分岐通路２３の出口は、各照射部９の間、具体的には、図３の実線で示すように、上下に隣り合う照射部９の間で且つ左右に隣り合う照射部９の間に形成されて、顔Ａに向けて酸素を噴出する（図２の実線矢印参照）酸素噴出口（酸素供給口）２５とされている。このように、酸素噴出口２５を、照射部９の間に形成したので、顔Ａにおける光の照射部分に酸素を効率的に供給することができる。尚、本実施の形態では、上記酸素供給装置５と、チューブ４と、酸素供給通路１９とで、顔Ａに酸素を供給する酸素供給部２を構成している。
【００２６】
図５に示すように、操作部７の出力側には、酸素供給装置５と照射部９とが接続されており、操作部７への操作により酸素供給装置５及び照射部９の各種制御を行うようになっている。
【００２７】
操作部７には、美容機器１の電源スイッチ（ＳＷ）２９、各ＬＥＤの出力を調整する青色ＬＥＤ出力調整スイッチ３１、黄色ＬＥＤ出力調整スイッチ３３、赤色ＬＥＤ出力調整スイッチ３５、近赤外ＬＥＤ出力調整スイッチ３７、酸素供給装置５の酸素の濃度を調整する酸素濃度調整スイッチ３９、酸素供給装置５の酸素の噴出量を調整する酸素噴出量調整スイッチ４１、タイマーをセットするためのタイマーセットスイッチ４３、上記各種調整を行った後に、照射部９による光の照射及び酸素供給部２による酸素供給を開始させるスタートスイッチ４５が設けられている。
【００２８】
本実施の形態では、各出力調整スイッチ３１、３３、３５、３７を操作することによって、例えば、「強」、「中」、「弱」、「出力なし」等の４段階の出力を調整可能となっている。したがって、各出力調整スイッチ３１、３３、３５、３７を操作することによって、全てのＬＥＤ１１、１３、１５、１７を発光させつつ肌の状態等に応じた適度な出力にしたり、或いは、肌の状態等によって、黄色ＬＥＤ１３及び近赤外ＬＥＤ１７の出力をＯＦＦにして、青色ＬＥＤ１１及び赤色ＬＥＤ１５のみを用いたり等、使用者の肌の状況等に応じた調整を行うことができる。
【００２９】
また、酸素濃度調整スイッチ３９を操作することにより、酸素の濃度を３０％〜５０％の範囲で調整可能となっている。酸素の濃度を上記範囲にしているのは、実験の結果、濃度が３０％未満の場合には、充分な美肌効果を得るために時間がかかり、５０％を超えた場合には、美肌効果についてほとんど差が無かったためである。したがって、酸素の濃度を３０％〜５０％にすることで、無駄の無い酸素の濃度によって、短時間で充分な美肌効果を得ることができる。尚、実験の結果、酸素の濃度が４０％のときに、最も効率良く美肌効果を得ることができたので、酸素濃度調整スイッチ３９による酸素の濃度は４０％にするのが好ましい。
【００３０】
また、酸素噴出量調整スイッチ４１を操作することによって、例えば、マスク３の顔Ａ側の面３ａに形成された酸素噴出口２５から噴出する酸素の噴出量が多い場合には、これを少なくする一方で、酸素の噴出量が少ない場合には、これを多くする等の調整ができるようになっている。
【００３１】
また、タイマーセットスイッチ４３は、美容機器１の酸素供給装置５や照射部９の駆動時間をセットするためのものであり、このタイマーセットスイッチ４３を操作して、所定の時間を設定すると、美容機器１の駆動がその所定時間の間のみ行なわれるようになっている。例えば、設定時間として、「５分」をセットすると、照射部９からの光の照射及び酸素供給部２からの酸素の供給が開始されてから５分が経過すると、照射部９による光の照射及び酸素供給部２からの酸素の供給が停止するようになっている。
【００３２】
上記構成の美容機器１を使用する際には、先ず、電源スイッチ２９をＯＮして、美容機器１を駆動させた後、各出力調整スイッチ３１、３３、３５、３７、酸素濃度調整スイッチ３９、酸素噴出量スイッチ４１、タイマーセットスイッチ４３のいずれかを操作して、肌の状態等に応じた調整を行う。そして、図２に示すように、マスク３を顔Ａに装着した後、スタートスイッチ４５をＯＮすることによって、マスク３の顔Ａ側の面３ａの照射部９から光が顔Ａに向けて照射されると共に、酸素噴出口２５から酸素が顔に向けて照射される。
【００３３】
このように、照射部９から顔に向けて照射される複数の波長の光（２波長以上の光）により、繊維芽細胞が刺激され、小皺や染み等を充分に減らすことが可能になって、優れた美肌効果を発揮することができる。また、紫外線を発しないため、使用に際して一定の熟練を必要とせず（専門性を伴わず）、家庭で安全に使用することができる。
【００３４】
また、各ＬＥＤ１１、１３、１５、１７の４波長を用いた場合には、黄色光、赤色光、近赤外光は浸透性が良好であり、青色光、黄色光、赤色光、近赤外光の４波長の光によって神経ブロックが刺激されて、染みや小ジワ等を効果的に減らすことができる。しかも、複数種の光をムラ無く充分に干渉させて照射することができるため、にきび肌改善、保湿効果、赤ら顔改善、毛穴縮小等、より優れた美容効果を得ることができる。
【００３５】
しかも、本実施の形態では、上記照射部９に加えて、顔に酸素を供給する酸素供給部２を設けているので、照射部９からの光の照射による上記美容効果に加え、酸素供給部２により皮膚に酸素を供給することにより、化粧品の粉等の細かい粒子が肌に導入し易くなると共に、皮膚の酸素濃度が上がって、皮膚がマイナスイオン状態になるため、皮膚の活性化を図ることができる。また、酸素供給部からの酸素を吸い込んで体内に取り込んだ場合には、細胞の細部まで酸素を行き渡らせて、皮膚の内部から新陳代謝を高めることができるので、より一層の美肌効果を発揮することができる。
【００３６】
ここで、本実施の形態に係る美容機器１を１日５分間、１週間連続して、被験者の肌に当てる実験を、約２０人の被験者について行い。その結果について、アンケート調査を行った。その結果、約半数の１８人について、被験者の肌の染みが無くなったり、染みや皺が減ったというアンケート結果を得た。更に、本実施の形態に係る美容機器１を使用後には、肌に張りや艶がでてきたというアンケートもあった。
【００３７】
特に、本実施形態の美容機器１において、各ＬＥＤ１１、１３、１５、１７は、周波数が１〜２０Ｈｚのパルス信号により点滅発光する場合には、小皺や染みを効果的に減らすことが可能であった。
【００３８】
尚、本発明は、前述した実施形態に限定されず、その要旨を逸脱しない範囲で種々変形実施できることは言うまでもない。
【００３９】
例えば、上記実施の形態では、酸素噴出口２５を図３に示す実線の位置に形成したが、これに限定されず、波線で示すように、互いに上下に隣り合う照射部９の間及び互いに左右に隣り合う照射部９の間に形成するようにしても良い。また、酸素噴出口２５を、上記のように照射部９の間に形成する代わりに、酸素噴出口２５をリング状に形成し、このリング状の酸素噴出口２５を、各照射部９の周囲を覆うように形成したり、或いは、複数の照射部９の周囲を覆うように形成したり、或いは、マスク３における顔Ａ側の面３ａの外周部分に亘って形成したりしても良く、その形状、大きさ及び配置位置は特に限定されない。
【００４０】
また、上記実施の形態の美容機器１は、マスク３によって顔Ａの美容を行ったが、このマスク３に代えて、顔の一部分のみ、或いは腕等の体の一部分のみを被覆するパット等の被覆部材を設けて、この被覆部材の皮膚面側の面から光を照射及び酸素の供給を行うようにしても良い。
【００４１】
また、照射部９や酸素噴出口２５を塞ぐ蓋部材を別途設け、照射部９及び酸素噴出口２５のうち、光の照射や酸素の供給を必要としない照射部９や酸素噴出口２５を塞ぐようにしても良い。この場合、例えば、顔の上半分または下半分のみ、或いは、顔の左半分または右半分のみ等、特に美容が必要な部分のみに、光や酸素を供給するようにすることができる。
【００４２】
更には、上記実施の形態では、照射部９による光の照射及び酸素供給部２による酸素の供給の両方を行っていたが、これに代えて、操作部７に、照射部９による光の照射のみ、或いは、酸素供給部２による酸素の供給のみのいずれかに切替可能な切替スイッチを設けて、いずれか一方のみにて美容機器１を駆動させるようにしても良い。
【図面の簡単な説明】
【００４３】
【図１】本発明の実施形態に係る美容機器の斜視図である。
【図２】図１の美容機器のマスクの外観を示す断面図である。
【図３】スクの顔側の面の一部を示す図である。
【図４】光照射部におけるＬＥＤの波長分布図である。
【図５】図１の美容機器の構成を示すブロック図である。
【符号の説明】
【００４４】
１      美容機器
２      酸素供給部
９      照射部
１１    青色ＬＥＤ（発光ダイオード）
１３    黄色ＬＥＤ（発光ダイオード）
１５    赤色ＬＥＤ（発光ダイオード）
１７    近赤外ＬＥＤ（発光ダイオード）
２５    酸素噴出口（酸素供給口）
Ａ      顔（皮膚面）
【図１】
0004431527.tif 000002
【図２】
0004431527.tif 000003
【図３】
0004431527.tif 000004
【図４】
0004431527.tif 000005
【図５】
0004431527.tif 000006